(57)【要約】  ビデオ情報を具える多層記録担体を別の多層記録担体に複写する際、ソース記録担体の２つの記録層に分布するデータはターゲット記録担体の２つの層に分布させる必要がある。適切な層移行点を見つけ出すビデオデータの処理を避けるために、再生装置がソース記録担体の層移行点の論理アドレスを記録装置に供給し、記録装置がこの論理アドレスを用いてターゲット記録担体における層移行を実施する。
2007507819.tif 000002
【特許請求の範囲】
【請求項１】
第１層と第２層に記録されたビデオ情報を具える多層記録担体であって層移行点も具える多層記録担体を再生する装置であって、前記多層記録担体からビデオ情報を読み出す読出し手段と、該読出し手段に結合された処理手段とを具える再生装置において、
当該再生装置は、前記層移行点の位置を取り出す層移行点取り出し手段を具え、該層移行点取り出し手段が層移行点の位置を前記処理手段に供給するよう動作し、前記処理手段が前記層移行点を出力手段に供給するよう動作する再生装置。
【請求項２】
前記処理手段が前記読出し手段により供給されるビデオ情報を前記層移行点取出し手段により供給される層移行点の位置と組み合わせる動作することを特徴とする請求項１記載の再生装置。
【請求項３】
入力端に供給されたビデオ情報を第１層、第２層及び層移行点を有する多層記録担体に記録する装置であって、多層記録担体の第１層と第２層にビデオ情報を書き込む書込み手段と、前記入力端と前記書込み手段に結合された処理手段とを具える記録装置において、
前記処理手段は、入力ストリームから層移行位置を取り出し、取り出した層移行位置から導出される位置で層移行を行いながら前記ビデオ情報を前記記録担体に書き込むように動作することを特徴とする記録装置。
【請求項４】
前記取り出した層移行位置から導出される位置は前記取り出した層移行位置に一致することを特徴とする請求項３記載の記録装置。
【請求項５】
前記処理手段は、前記第１層の最大使用可能サイズを前記取り出した層移行位置に基づいて調整するよう動作することを特徴とする請求項３又は４記載の記録装置。
【請求項６】
ソース多層記録担体に記録されているビデオ情報をターゲット多層記録担体に複写する方法において、
・前記ソース多層記録担体の第１層からビデオ情報を読み出すステップと、
・前記ソース多層記録担体の第２層からビデオ情報を読み出すステップと、
・前記ソース多層記録担体から層移行点を読み出すステップと、
・前記第１層と第２層から読み出したビデオ情報を記録装置に転送するステップと、
・前記層移行点を前記記録装置に転送するステップと、
・転送された前記層移行点を用いて前記ターゲット記録担体上の層移行点を決定して前記記録装置に転送されたビデオ情報を前記ターゲット多層記録担体に記録するステップと、
を具えることを特徴とする複写方法。
【請求項７】
前記ターゲット記録担体上の層移行点を前記ソース多層記録担体上と同一の論理アドレスに位置決めするステップを具えることを特徴とする請求項６記載の複写方法。
【請求項８】
前記層移行点は転送中前記ビデオ情報と一緒に１つのファイルに含めることを特徴とする請求項６記載の複写方法。
【請求項９】
前記記録装置へ転送された全てのビデオ情報を前記ターゲット多層記録担体に記録するステップの前に、前記ターゲット多層記録担体の第１層の最大サイズを調整するステップを実行することを特徴とする請求項６−８の何れかに記載の複写方法。
【発明の詳細な説明】
【技術分野】
【０００１】
本発明は、第１層と第２層に記録されたビデオ情報を具えるとともに、層移行点も具える多層記録担体を再生する装置であって、多層記録担体からビデオ情報を読み出す読出し手段と、読出し手段に結合された処理手段とを具える再生装置に関するものであり、更に、入力端に供給された情報を第１層、第２層及び層移行点を有する多層記録担体に記録する装置であって、多層記録担体の第１層と第２層にビデオ情報を書き込む書込み手段と、入力端と書込み手段に結合された処理手段とを具える記録装置に関するものであり、更に、ソース多層記録担体をターゲット多層記録担体に複写する方法に関するものである。
【背景技術】
【０００２】
このような方法は現在入手しうる標準のＤＶＤプレーヤから既知である。
【０００３】
このようなプレーヤは２層ＤＶＤ記録担体に記録された情報を読み出すことができる。
【０００４】
プレーヤは、情報を連続的に読み出す際に、最初に第１層から情報を読み出し、第２の層へ移行し、第２層から残りの情報を読み出す。
【０００５】
第１層から第２層への移行はシームレスでなく、且つビデオセル境界に位置する。
【０００６】
多層記録担体から読み出された情報はデコーディング用のプロセッサに供給され、ビデオ情報が出力端に出力される。ビデオ情報が記録担体から通常の方法で読み出される場合、ビデオ情報は連続的にアクセスされる。従って、出力端に出力されるビデオ情報も単一連続データストリームに連続的に配列される。
【０００７】
このビデオ情報を別の記録担体に複写する場合には、記録装置によってこの単一連続データストリームからビデオ情報を得る必要がある。
【０００８】
記録装置は、データの量が単一層に収まらないとき、２層記録担体の殆どの場合、第１層から第２層への移行をどこで実行すべきか決定する必要がある。
【０００９】
この方法の欠点は、記録装置はセル境界がどこで生起するか分析する必要があるとともに第１層の残りの記録容量も考慮する必要がある点にある。
【発明の開示】
【発明が解決しようとする課題】
【００１０】
本発明の目的は、記録装置が層移行点の適切な位置を決定するためにビデオ情報を分析する必要がない方法を提供することにある。
【課題を解決するための手段】
【００１１】
この目的を達成するために、本発明の方法は、
・ソース多層記録担体の第１層から情報を読み出すステップと、
・ソース多層記録担体の第２層から情報を読み出すステップと、
・ソース多層記録担体から層移行点を取り出すステップと、
・第１層と第２層から読み出した情報を記録装置に転送するステップと、
・層移行点を記録装置に転送するステップと、
・転送された層移行点を用いてターゲット記録担体上の層移行点を決定して記録装置に転送された情報をターゲット多層記録担体に記録するステップと、
を具えることを特徴とする。
【００１２】
現在、再生装置は層移行点の位置、即ち層ジャンプの位置をユーザや他の機器に供給しない。記録担体から層移行点を読み出すことによってビデオ情報を分析処理するステップを省略することができる。ソース記録担体上の層移行点の位置は適切な位置にあり、記録装置による層移行点の位置の選択はこの位置に基づくものとすることができる。例えば、ソース記録担体とターゲット記録担体との差異に起因するオフセットが存在する場合には、適切な層移行点はソース記録担体の層移行点の位置にこのオフセットを加えてターゲット記録担体に対する新しい層移行点位置を生じさせることによって導出することができる。こうして、ターゲット記録担体上のビデオ情報はソース記録担体上のビデオ情報と同一に第１層のセクションと第２層のセクションに分割される。従って、層移行又はジャンプがノンシームレスに起こるとともにセル境界で起こることが保証され、これはこれらの条件がソース記録担体でも満たされていたからである。
【００１３】
ソース多層記録担体を複写する方法の他の実施例では、ターゲット記録担体上の層移行点をソース多層記録担体上と同一の論理アドレスに位置決めすることを特徴とする。
【００１４】
オフセットが存在しない場合には、ソース記録担体とターゲット記録担体の双方に対して層移行点の正確に同一の論理アドレスを使用することができる。
【００１５】
多層記録担体を複写する方法の更に他の実施例では、層移行点を転送中前記情報と一緒に１つのファイルに含めることを特徴とする。
【００１６】
層移行点の位置は再生装置から記録装置へビデオ情報と別に転送することができるが、層移行点の位置をビデオ情報に含めるのが有利である。
【００１７】
ソース多層記録担体を複写する方法の更に他の実施例では、記録装置へ転送された全ての情報をターゲット多層記録担体に記録するステップの前に、ターゲット多層記録担体の第１層の最大サイズを調整するステップを実行することを特徴とする。
【００１８】
ターゲット記録担体の第１層のサイズを、該層の終点がソース記録担体上の読み出された層移行点の位置と一致するように調整することによって、記録装置は正確に正しい位置で層移行又はジャンプを強制実行することになる。層移行点の位置を越えるターゲット記録担体の第１層の記録容量は不用であり、第１層の使用可能サイズを減少させることによって自動層ジャンプが生起する。
【発明を実施するための最良の形態】
【００１９】
図１は２層ＯＴＰ記録担体に記録されているビデオ情報を示す。
記録担体３は情報が記録された第１層１と第２層２を具える。情報はビデオ情報、例えばＭＰＥＧ２ビデオストリームである。ビデオ情報は単一層に納まらないために、第１層１がビデオ情報を含む第１セクション４を具え、第２層２もビデオ情報を含むセクション、第２セクション５、を具える。図示の記録担体はＯＴＰ型であるため、第１セクション４のサイズにより第２セクション５の最大サイズが決まる。これは、第１層１が第１層の始点から外側に向かって層移行点６まで読み出され、ここで読出しが第２層２へ移行し、セクション５の読出しが内側に向かって続くためである。
【００２０】
層の物理アドレスは第１層の最大サイズと第２層の最大サイズにまたがる。これに反し、ＯＴＰ型記録担体の論理アドレスは第１層１の第１セクション４の始点から外側に層移行点６まで延在する。論理アドレスは第２セクション５の始点７で連続し、第２セクション５の終点で終了する。
【００２１】
従って、第１層１の第３セクション８及び第２層２の第４セクション９は記録担体の物理アドレスに含まれるが、論理アドレスには含まれない。マスタリング時に、ビデオデータを処理し、ノンシームレス層移行を実現できるセル境界に生起する適切なシーン、例えば低ビットレートを有するシーンをサーチすることによって層移行点６が決定される。追加の目的は、両層１，２のビデオ情報の量をバランスさせ、ほぼ等しいサイズの第１セクション４と第２セクション５を得るためである。これはビデオ情報で満たされない第２セクション５の残余領域を埋めるために必要とされるバディングの量を低減する。
【００２２】
図２は２層ＰＴＰ記録担体に記録されたビデオ情報を示す。
ＰＴＰ型記録担体は情報が記録された第１層２０と第２層２１を具える。情報はビデオ情報、例えばＭＰＥＧ２ビデオストリームである。ビデオ情報は単一層に納まらないために、第１層２０がビデオ情報を含む第１セクション２２を具え、第２層２１もビデオ情報を含むセクション、第２セクション２３、を具える。図示の記録担体はＰＴＰ型であるため、第１セクション２２のサイズは第２セクション２３のサイズに影響しない。これは、第１層２０が第１層の始点から外側へ層移行点２４まで読み出され、ここで読出しが第２層２１の始点２５へ移行し、再び第２セクション２３の読出しが外側へ第２セクション２３の終点２６まで続くためである。
【００２３】
層の物理アドレスは第１層２０の最大サイズと第２層２１の最大サイズにまたがる。これに反して、ＰＴＰ型記録担体の論理アドレスは第１層２０の第１セクション２２の始点から外側に層移行点２４まで延在する。論理アドレスは第２セクション２３の始点２５で連続し、第２セクション２３の終点２６まで続く。
【００２４】
従って、第１層２０の第３セクション２７及び第２層２１の第４セクション２８は記録担体の物理アドレスに含まれるが、論理アドレスには含まれない。マスタリング時に、ビデオデータを処理し、適切なシーン、例えばノンシームレスの層移行を実現できる場合にはセル境界に生起する低ビットレートを有するシーンをサーチすることによって層移行点６が決定される。ＰＴＰ記録担体には両層２０，２１のビデオ情報の量をバランスさせるべき追加の目的は存在しない。従って、第１セクション２２と第２セクション２３を異なるサイズにすることができ、第２セクション２３を第１セクションより小さくする、等しくする、或いは大きくすることができる。
【００２５】
図３は、２層ＯＴＰ記録担体に複写されたビデオ情報を示す。
【００２６】
図１に示す２層ＯＴＰ記録担体を複写する場合、ビデオ情報はソース記録担体の論理アドレス空間から読み出され、ターゲット記録担体に記録するために記録装置に供給される。ビデオ情報の単一ストリーム又はデータファイルが記録装置に供給されるため、記録装置は、オーサリング中と同様に、層移行点のためのビデオ情報の適切な点を見つけ出す必要がある。図３は記録装置により決定された第１層３０の物理的終点に近い層移行点３３を示す。第１層３０はビデオ情報の第１部分を含む第１セクション３２を具える。層移行点３３は第１セクション３２の終点及び第１層３０の論理アドレス空間の終点をマークする。ビデオ情報と論理アドレス空間は第２層上で第２セクション３７の始点３６から第２セクション３７の終点まで連続する。記録装置は層移行点に対して他の規則、例えば各セクション３２，３７に含まれるビデオ情報の量をバランスさせてパディングを低減する規則を適用することもできること勿論である。図３に示す状態では、第３セクション３９のパディングが必要とされる。第４セクション３４と第５セクション３５は論理アドレスに含まれない。この複写方法の欠点は、ビデオ情報を処理する必要があるとともに、第２層３１の残余アドレス空間を埋めるために第２層の比較的大きなセクションをパディングする必要がある点にある。
【００２７】
図３の説明と同様に、図４はソース多層記録担体をターゲット多層記録担体に複写する際に何の特別の手段も講じない場合に何が起こるかを示す。
【００２８】
図２に示す２層ＰＴＰ記録担体を複写する場合、ビデオ情報はソース記録担体の論理アドレス空間から読み出され、ターゲット記録担体に記録するために記録装置に供給される。ビデオ情報の単一ストリーム又はデータファイルが記録装置に供給されるため、記録装置は、オーサリング中と同様に、ビデオ情報中に層移行点に適した点を見つけ出す必要がある。図４は記録装置により決定された第１層４０の物理的終点に近い層移行点４３を示す。第１層４０はビデオ情報の第１部分を含む第１セクション４２を具える。層移行点４３は第１セクション４２の終点と第１層４０の論理アドレス空間の終点をマークする。ビデオ情報と論理アドレス空間は第２層上で第２セクション４６の始点４５から第２セクション４６の終点４７まで連続する。記録装置は層移行点に対して他の規則、例えば各セクション４２，４６に含まれるビデオ情報の量をバランスさせる規則を適用することもできること勿論である。第３セクション４４と第４セクション４８は論理アドレスに含まれない。この複写方法の欠点は、ビデオ情報を処理する必要がある点にある。
【００２９】
図５ａは再生装置からのビデオ情報を記録装置へ転送するためのファイル構造を示す。
【００３０】
ビデオ情報の必須処理を避けるために、図５ａは第１ファイル５０と第２ファイル５３を具えるフィル構造５０，５３を示す。第１ファイル５０はソース多層記録担体のビデオ情報を具える。再生装置はソース多層記録担体の第１層の第１セクションから読み出されたビデオ情報の第１セクション５１と第２層の第２セクションから読み出されたビデオ情報の第２セクション５２とを含む連続論理アドレス空間の単一ストリーム又はファイルを供給するのみであるため、第１ファイル５０に加えて第２ファイル５３を記録装置に供給する。第２ファイル５３は層移行点の論理アドレスを含む。このように、記録装置はもはやビデオ情報を処理する必要がなく、ソース記録担体の原層移行点の与えられた論理アドレスを用いてターゲット記録担体に対する適切な層移行点を決定することができる。
【００３１】
ソース記録担体に対するターゲット記録担体の物理アドレス空間の一定のオフセットは記録装置で容易に考慮することができる。別個の第２ファイル５３の利点は、この第２ファイル５３はビデオ情報を含む第１ファイル５０と独立に記録装置に転送できる点にある。
【００３２】
記録装置はビデオ情報の記録が層移行点まで進む前に層移行点の位置を知る必要があるため、第２ファイルは記録が層移行点に達する前の任意の時点に転送することができる。従って、再生装置は第２ファイル５３を第１ファイル５０の前か、第１ファイル５０の第１セクション５１と同時に転送することができる。第１ファイルの第２セクション５２の記録が開始する前に、記録装置は第２ファイル５３を受信している必要がある。ＤＶＤファイル構造では、層移行点の論理アドレスを含めるのに適切なファイはＩＦＯファイルであり、このファイルはＶＯＢファイル内のビデオ情報に関連する他の情報を含むこともできる。
【００３３】
図５ｂは再生装置からのビデオ情報を記録装置へ転送するための他のファイル構造を示す。
【００３４】
他の可能性は、ビデオ情報の第１セクションを含むファイル５４の第１セクション５６のセクション５５に層移行点の論理アドレスを含めることである。図には層移行点の論理アドレスを含むセクション５５は第１セクション５６の開始点に位置する状態が示されているが、第１セクション５６の他の位置も適切である。ファイル５４の第２セクション５７はターゲット記録担体の第２層に記録する必要がある。従って、第２セクション５７に含まれるビデオ情報の記録が開始する前に、層移行点を決定する必要がある。
【００３５】
図６は他の２層ＯＴＰ記録担体を複写するために用意された２層ＯＴＰ記録担体を示す。
【００３６】
図６の２層記録担体は第１層６０と第２層６１を具える。第１層は図５ａのビデオ情報の第１セクション５１を記録するための第１セクション６２を具える。記録装置は、層移行点６３を図５ａのファイル５０のビデオ情報の第１セクション５１がターゲット記録担体の第１層６０の第１セクション６２に正確に収まるように位置させる。
【００３７】
続いて図５ａのファイル５０のビデオ情報の第２セクション５２をターゲット記録担体の第２層６１の第２セクション６７に記録することができる。これを達成する一つの手段は、第１層６０の最大アドレス空間を図５ａの第２ファイル５３から読み出される層移行点の論理アドレスと一致するように減少させることにある。従って、記録装置が図５ａの第１ファイル５０からのビデオ情報の記録を開始すると、層移行が自動的に実行される。その理由は、記録装置は、ビデオ情報の記録がソース記録担体上に位置した層移行点に対応するビデオ情報内の点まで進んだとき、第１セクション６２の終点に正確に対応する第１層６０の調整された最大アドレス空間に到達するためである。
【００３８】
第１層６０の最大アドレス空間に到達すると、記録装置は自動的に層移行を実行し、始点６６から第２層６１の第２セクション６７に、図５ａの第１ファイル５０の第２セクション５２の残りのビデオ情報の記録を続ける。第１層６０の第３セクション６４は第１層の調整された最大アドレス空間を超えて位置し記録装置が最大アドレス空間の調整の結果アクセスできないために、第３セクション６４及び第４セクション６５への記録は行なわれない。
【００３９】
ＯＴＰ型記録担体では記録装置は層移行後に内側に向かって記録を開始するため、第４セクション６５は第３セクション６４と同様に最大アドレス空間の調整後に記録装置にアクセス不能になる。
【００４０】
図７は他の２層ＰＴＰ記録担体を複写するために用意された２層ＰＴＰ記録担体を示す。
【００４１】
図７の２層記録担体は第１層７０と第２層７１を具える。第１層７０は図５ａのビデオ情報の第１セクション５１を記録するための第１セクション７２を具える。記録装置は、層移行点７３を図５ａのファイル５０のビデオ情報の第１セクション５１がターゲット記録担体の第１層７０の第１セクション７２に正確に収まるように位置させる。
【００４２】
続いて図５ａのファイル５０のビデオ情報の第２セクション５２をターゲット記録担体の第２層７１の第２セクション７６に記録することができる。これを達成する一つの手段は、第１層７０の最大アドレス空間を図５ａの第２ファイル５３から読み出される層移行点の論理アドレスと一致するように減少させることにある。従って、記録装置が図５ａの第１ファイル５０からのビデオ情報の記録を開始すると、層移行が自動的に実行される。その理由は、記録装置は、ビデオ情報の記録がソース記録担体上に位置した層移行点に対応するビデオ情報内の点まで進んだとき、第１セクション７２の終点に対応する第１層７０の調整された最大アドレス空間に到達するためである。
【００４３】
第１層７０の最大アドレス空間に到達すると、記録装置は自動的に層移行を実行し、第２層７１の第２セクション７６に、図５ａの第１ファイル５０の第２セクション５２からの残りのビデオ情報の記録を続ける。第１層７０の第３セクション７４は第１層の調整された最大アドレス空間を超えて位置し記録装置が最大アドレス空間の調整の結果アクセスできないために、第３セクション７４及び第４セクション７８への記録は行なわれない。
【００４４】
ＰＴＰ型記録担体では記録装置は層移行後に第２セクション７６の始点７５から外側に向かって記録を開始するため、第４セクション７８は第１層７０の第３セクション７４と異なり、最大アドレス空間の調整後も記録装置にアクセス可能なままである。第２セクション７６の終点７７はビデオ情報の終点で決まる。
【００４５】
図８は再生装置と記録装置を具えた２層記録担体の複写システムを示す。
【００４６】
ソース２層記録担体８０はターゲット２層記録担体８１へ複写すべきものである。再生装置８２は、記録担体８０の読み出し及び読出し情報のデコーディングを実行する基本エンジン８４によりソース記録担体上の情報にアクセスできる。プロセッサ８８は基本エンジン８４に結合され、基本エンジン８４へ命令を送るとともに基本エンジン８４により読み出された情報を受信することができる。基本エンジン８４を使用することによって、プロセッサは、最初にソース記録担体８０の第１層からビデオ情報を読み出し、層移行点の論理アドレスを読み出し、次いでソース記録担体８０の第２層から残りのビデオ情報を読み出すことによりソース記録担体からビデオ情報と層移行点の論理アドレスとを読み出すことができる。
【００４７】
プロセッサ８８は更にユーザインターフェース８６及び出力端９０に結合される。ユーザインターフェース８６によってユーザは再生装置で開始される複写処理の開始を命令することができ、また再生装置８２により記録装置８３に供給されるファイル又はデータストリームのフォーマットを適合させることができる。例えば図５ａ及び図５ｂに示す２つのファイルフォーマット間の選択を可能にして、異なる記録装置が異なるファイルフォーマットを必要とする場合の互換性を保障する。
【００４８】
ビデオ情報と層移行点の論理アドレスを含むファイル又はデータストリームがプロセッサ８８によって出力端９０から記録装置８３の入力端９１に供給される。記録装置８３はビデオ情報と層移行点の論理アドレスとを含むファイル又はデータストリームを受信すると、受信したファイル又はデータストリームをプロセッサ８９に供給する。
【００４９】
プロセッサ８９はユーザインターフェース８７に結合される。ユーザインターフェース８７によってユーザは複写処理の開始を記録装置に命令する、或いは、再生装置８２から記録装置８３へのファイルの転送の開始を記録装置に命令することができる。更に、ユーザインターフェース８７によって記録装置８３により再生装置８２からアクセスしたファイル又はデータストリームのフォーマットを適合させることができる。例えば図５ａ及び図５ｂに示す２つのファイルフォーマット間の選択を可能にして、異なる再生装置が異なるファイルフォーマットを与える場合の互換性を保障する。
【００５０】
複写処理のために、再生装置８２は次のステップ：
・プロセッサ８８の制御の下で基本エンジン８４を用いて光学ピックアップをソース多層記録担体の第１層に集束させてソース多層記録担体の第１層からビデオ情報を読み出すステップ：
【００５１】
・プロセッサ８８の制御の下で基本エンジン８４を用いて光学ピックアップをソース多層記録担体の第２層に集束させてソース多層記録担体の第２層からビデオ情報を読み出すステップ：
【００５２】
・プロセッサ８８の制御の下で基本エンジン８４を用いてソース多層記録担体から層移行点を読み出すステップ：
層移行点の論理アドレスはいくつかの方法で決定することができる。再生装置は記録担体のリードイン内のエントリから層移行位置の論理アドレスを読み出すか、ソース記録担体からビデオ情報を読み出しながら層移行点の論理アドレスを取得することにより層ジャンプの位置を決定することができる。複写のために、全てのビデオ情報を記録担体から読み出す必要があるため、２層ソース記録担体の場合には、再生は自動的に層移行に出会う。
【００５３】
・第１層及び第２層から読み出された全てのビデオ情報を記録装置に転送するステップ；
この転送は、ユーザが再生装置８２のユーザインターフェース８６によって又は記録装置８３のユーザインターフェース８７によって開始させることができる。また、再生装置８２及び／又は記録装置８３が入力／出力インターフェース９０，９１により制御されるコンピュータである場合、例えばパーソナルコンピュータに使用されているＩＤＥインターフェース制御の再生装置及び記録装置の場合には、この転送は再生装置８２及び／又は記録装置８３の入力／出力インターフェース９０，９１により開始させることもできる。
【００５４】
・層移行点を記録装置に転送するステップ：
層移行点の論理アドレスの転送はユーザが再生装置８２のユーザインターフェース８６によって又は記録装置８３のユーザインターフェース８７によって開始することができる。また、再生装置８２及び／又は記録装置８３が入力／出力インターフェース９０，９１により制御されるコンピュータである場合、例えばパーソナルコンピュータに試用されているＩＤＥインターフェース制御の再生装置及び記録装置の場合には、この転送は再生装置８２及び／又は記録装置８３の入力／出力インターフェース９０，９１により開始させることもできる。層移行点の論理アドレスの転送はビデオ情報の転送と別個に又は一緒に転送することができること明らかである。
【００５５】
・記録装置に転送されたビデオ情報を、転送されてきた層移行点を用いてターゲット多層記録担体上の層移行点を決定してターゲット多層記録担体に書き込むステップ：
記録装置８３は、受信ビデオ情報をプロセッサ８９で処理してターゲット多層記録担体８１に記録する。プロセッサ８９はビデオ情報を、アドレス情報のような他の所要の情報と一緒に、記録標準規格で決められた適切なフォームで基本エンジン８５に出力し、基本エンジン８５がビデオ情報をターゲット多層記録担体８１に記録するのに適した信号に変換する。
【００５６】
しかし、記録装置は、ビデオ情報を上記のように記録するのに加えて、層移行が正しい位置で起こるようにする必要もある。このために、ソース記録担体８０から受信した層移行点の論理アドレスを用いてターゲット多層記録担体８１のための層移行点の論理アドレスを決定する。層移行点を実現するために、記録装置８３のプロセッサ８９は、記録中に層ジャンプコマンドを基本エンジン８４に発行するか、ターゲット多層記録担体８１の第１層の記録前又は中にターゲット記録担体の第１層の最大アドレス空間を調整することができる。第１層の最大アドレス空間を調整すると、記録装置がアドレス空間の調整された終点に到達するとき層移行が自動的に行なわれる。
【図面の簡単な説明】
【００５７】
【図１】２層ＯＴＰ記録担体に記録されたビデオ情報を示す図である。
【図２】２層ＰＴＰ記録担体に記録されたビデオ情報を示す図である。
【図３】２層ＯＴＰ記録担体に複写されたビデオ情報を示す図である。
【図４】２層ＰＴＰ記録担体に複写されたビデオ情報を示す図である。
【図５】図５ａは再生装置からのビデオ情報を記録装置へ転送するためのファイル構造を示す図、図５ｂは再生装置からのビデオ情報を記録装置へ転送するための他のファイル構造を示す図、
【図６】他の２層ＯＴＰ記録担体を複写するために用意された２層ＯＴＰ記録担体を示す図である。
【図７】他の２層ＰＴＰ記録担体を複写するために用意された２層ＰＴＰ記録担体を示す図である。
【図８】再生装置と記録装置を具え２層記録担体を複写するシステムを示す図である。
【図１】
2007507819.tif 000003
【図２】
2007507819.tif 000004
【図３】
2007507819.tif 000005
【図４】
2007507819.tif 000006
【図５ａ】
2007507819.tif 000007
【図５ｂ】
2007507819.tif 000008
【図６】
2007507819.tif 000009
【図７】
2007507819.tif 000010
【図８】
2007507819.tif 000011
【国際調査報告】
2007507819.tif 000012
2007507819.tif 000013
2007507819.tif 000014